(57)【要約】      （修正有）【課題】前扉を開放した状態の侭でも厨子内を気密状態にして埃等の侵入を防止し、且つ、室内の照明を利用して厨子内を照明できるようにした厨子の遮蔽装置を提供する。【解決手段】厨子を構成する天井部分が透明または半透明の水平板２−２で覆われた箱体１の両側板１−１に形成された左右の溝に案内されて上下動する透明の垂直の遮蔽板２を設けて厨子を構成する。【選択図】図３
0003151101.tif 000002
【実用新案登録請求の範囲】
【請求項１】
厨子を構成する天井部分が透明または半透明の水平板で覆われた箱体の両側板に形成された左右の溝に案内されて上下動する透明の垂直の遮蔽板を設けたことを特徴とする厨子の遮蔽装置。
【請求項２】
厨子を構成する天井部分が開放した箱体の両側板に形成された左右の溝に案内されて上下動する透明の垂直板と、前記箱体の天井部分を隠す透明または半透明の水平板とから構成される逆Ｌ字型の遮蔽板を設けたことを特徴とする請求項１記載の厨子の遮蔽装置。
【考案の詳細な説明】
【技術分野】
【０００１】  本考案は、必要な以外は厨子内を気密状態にして埃等の侵入を防止し、且つ、室内の照明を利用して厨子内を照明できるようにした厨子の遮蔽装置に関するものである。
【背景技術】
【０００２】  従来の厨子にあっては、厨子内の御本尊を保護するために観音開き式の前扉を設けたものであった。
【考案が解決しようとする課題】
【０００３】  然しながら、前扉を開放した状態の侭では厨子内には埃等が侵入し、御本尊を含めて厨子内部に埃等が付着して御本尊の尊厳を傷つけることになるため、頻繁に掃除をしなければならないだけでなく、照明器具を別途に設けなければ厨子内が暗いという問題点があった。
【考案の目的】
【０００４】  本考案は、前扉を開放した状態の侭でも厨子内を気密状態にして埃等の侵入を防止し、且つ、室内の照明を利用して厨子内を照明できるようにした厨子の遮蔽装置を提供することにある。
【課題を解決するための手段】
【０００５】  本考案の請求項１に係る厨子の遮蔽装置は、厨子を構成する天井部分が透明または半透明の水平板で覆われた箱体の両側板に形成された左右の溝に案内されて上下動する透明の垂直の遮蔽板を設けたことを特徴とするものである。
【０００６】  本考案の請求項２に係る本発明の厨子の遮蔽装置は、厨子を構成する天井部分が開放した箱体の両側板に形成された左右の溝に案内されて上下動する透明の垂直板と、前記箱体の天井部分を隠す透明または半透明の水平板とから構成される逆Ｌ字型の遮蔽板を設けたことを特徴とするものである。
【考案の作用】
【０００７】  本考案の請求項１に係る遮蔽装置では、厨子を構成する箱体の前方開放部が透明の垂直板によって、天井部分を覆っている水平板によってそれぞれ閉鎖され、これによって厨子内が気密状態に保持されることになって厨子内への埃等の侵入が防止され、透明または半透明の水平板を透して厨子が設置される室内の照明光が厨子内に入り、厨子内が照明される。
【０００８】  本考案の請求項２に係る遮蔽装置では、厨子を構成する箱体の前方開放部が透明の垂直板によって、箱体の開放した天井部分が透明または半透明の水平板によってそれぞれ閉鎖され、これによって厨子内が気密状態に保持されることになって厨子内への埃等の侵入が防止され、透明または半透明の水平板を透して厨子が設置される室内の照明光が厨子内に入り、厨子内が照明される。
【考案の実施の態様】
【０００９】  本考案の実施の態様を図面について具体的に説明する。
【００１０】  図１は、本考案装置の遮蔽板を下ろした状態の厨子の正面図、図２は、本発明装置の遮蔽板を上げた状態の厨子の正面図、図３は、本考案装置の遮蔽板を下ろした状態の厨子の内部透視側面図、図４は、本考案装置の遮蔽板を上げた状態の厨子の内部透視側面図、図５は、厨子の内部透視平面図である。
【００１１】  １は、厨子を構成する天井部分が開放した箱体であって、両側板１−１、１−１、底板１−２及び背板１−３とから構成され、箱体１即ち厨子前方の開放部が観音開きの扉で開閉されるようになっている。
【００１２】  ２は、前記両側板１−１、１−１に形成された左右の溝１−１ａ、１−１ａに案内されて上下動する透明の垂直板２−１と、前記箱体の天井部分を隠す透明または半透明水平板２−２とから構成される逆Ｌ字型の遮蔽板であって、垂直板２−１の下端が前記底板１−２に形成された溝１−２ａに落とし込まれるようになっている。
【００１３】また、垂直板２−１の下端側には摘み２−１ａが取り付けられ、遮蔽板２を持ち上げるときに便利となるようにしてある。
【００１４】  尚、遮蔽板２を透明の合成樹脂で成形する場合は、一体的にＬ字型に成形すればよいが、垂直板２−１を透明とし、水平板２−２を半濁半透明または着色半透明とする場合には、２種類の板を逆Ｌ字型に貼り合わせて成形してもよいものであり、請求項１の発明の場合は水平板２−２を最初から天井部分に取り付けておけばよいものである。
【００１５】  ３は、遮蔽板２を持ち上げたときに、垂直板２−１の下端に自動的に係合して手を離してもその位置で止まるようにするフックで、箱体１の両側板１−１、１−１にピンにて揺動自在に枢支されている。
【００１６】  尚、図中、４は、厨子前方の開放部を開閉する観音開き式の扉、５は、同扉を電動で開閉制御する駆動機構である。
【００１７】  次に、本考案装置の具体的用法を図に基づいて説明する。
【００１８】  即ち、図１、図３のように遮蔽板２を下ろした状態のときは、垂直板２−１の下端は前記底板１−２に形成された溝１−２ａに落ち込み、水平板２−２の自由端は天井部分の補強材の段部に落ち込んでいるため、厨子の御本尊が安置される空間は完全に密封される。
【００１９】  御本尊の入れ替えや、掃除をしたい場合には、摘み２−１ａを握って遮蔽板２を持ち上げてやれば、図４のようにフック３のある位置で自動的に遮蔽板２の下端にフック３が係合してその位置で止まるため、手を離した状態で御本尊の入れ替えや、掃除を行う。
【００２０】  上記作業が終了した後、フック３を外してやれば、遮蔽板２は自重によって下がり、元の密閉状態に戻る。
【００２１】  尚、遮蔽板２を持ち上げた侭作業ができるときにはフック３は不要であり、段階的に遮蔽板２を止めたいときにはフック３を２段、３段に設けてやればよいものである。
【考案の効果】
【００２２】  以上述べた如く、請求項１に係る厨子の遮蔽装置は、厨子を構成する天井部分が開放した箱体の両側板に形成された左右の溝に案内されて上下動する透明の垂直板と、前記箱体の天井部分を隠す透明または半透明の水平板とから構成される逆Ｌ字型の遮蔽板を設けたものであるから、厨子を構成する箱体の前方開放部が垂直の透明板によって、箱体の天井部分の透明または半透明の垂直板によってそれぞれ閉鎖され、これによって厨子内が気密状態に保持されることになって厨子内への埃等の侵入が防止され、透明または半透明の水平板を透して厨子が設置される室内の照明光が厨子内に入り、厨子内が照明されることになり、従来の厨子のように頻繁に掃除をしなければならないようなことがなく、また、照明器具を別途に設けなければ厨子内が暗いという問題点も解消できるに至ったものである。
【００２３】  また、請求項２に係る厨子の遮蔽装置は、厨子を構成する天井部分が開放した箱体の両側板に形成された左右の溝に案内されて上下動する透明の垂直板と、前記箱体の天井部分を隠す透明または半透明の水平板とから構成される逆Ｌ字型の遮蔽板を設けたものであるから、厨子を構成する箱体の前方開放部が垂直の透明板によって、箱体の開放した天井部分が透明または半透明の垂直板によってそれぞれ閉鎖され、これによって厨子内が気密状態に保持されることになって厨子内への埃等の侵入が防止され、透明または半透明の水平板を透して厨子が設置される室内の照明光が厨子内に入り、厨子内が照明されることになり、従来の厨子のように頻繁に掃除をしなければならないようなことがなく、また、照明器具を別途に設けなければ厨子内が暗いという問題点も解消できるに至ったものである。
【図面の簡単な説明】
【００２４】
【図１】  本発明装置の遮蔽板を下ろした状態の厨子の正面図である。
【図２】  本発明装置の遮蔽板を上げた状態の厨子の正面図である。
【図３】  本発明装置の遮蔽板を下ろした状態の厨子の内部透視側面図である。
【図４】  本発明装置の遮蔽板を上げた状態の厨子の内部透視側面図である。
【図５】  厨子の内部透視平面図である。
【符号の説明】
【００２５】  １    箱体
２    遮蔽板
３    フック
４    扉
５    駆動機構
【図１】
0003151101.tif 000003
【図２】
0003151101.tif 000004
【図３】
0003151101.tif 000005
【図４】
0003151101.tif 000006
【図５】
0003151101.tif 000007